(57)【要約】【課題】押圧操作時に、遊技状態や当選役抽選の結果を報知する。【解決手段】移動量調整部材の移動量を決定する移動抽選を、当選役抽選の結果に基づいた確率テーブルを用いて行う。例えば、ＢＢ移行役やＲＢ移行役が内部中となる場合には、「第２突出位置」に対して第２乱数の割り振りが多い第１確率テーブルが用いられる。また、小役となる場合には、「第１突出位置」に対して第２乱数の割り振りが多い第２確率テーブルが、ハズレとなる場合には、「移動量０」に対して第２乱数の割り振りが多い第３確率テーブルが用いられる。これにより、当選役抽選での結果に対する信頼度を従来とは異なる方法で、遊技者に報知することができる。【選択図】図９
2007236483.tif 000002
【特許請求の範囲】
【請求項１】
押圧される被押圧面を有する被押圧部材と、前記被押圧面が非押圧状態となる初期位置と前記被押圧面が押圧されたときの最大移動量となる最大押圧位置との間で移動可能となるように、前記被押圧部材を保持する保持部材とを備えた操作ボタン装置において、
前記最大押圧位置に向けて移動する被押圧部材に当接することで、前記被押圧部材が最大移動位置まで移動しないように前記被押圧部材の押圧位置を変更する位置変更部材と、
前記被押圧部材が前記最大押圧位置に向けて移動する過程で、該被押圧部材に当接する位置と、該被押圧部材に当接しない位置又は前記最大押圧位置に到達した前記被押圧部材と当接する位置のいずれか一方の位置との間で、前記位置変更部材の位置調整を行う位置調整機構と、を備えたことを特徴とする操作ボタン装置。
【請求項２】
前記被押圧部材が前記最大押圧位置に向けて移動する過程で該被押圧部材と当接する位置は、前記被押圧部材の初期位置からの移動量が異なる複数の位置からなり、
前記位置調整機構は、前記被押圧部材が前記最大押圧位置に向けて移動する過程で該被押圧部材と当接する位置へと移動させる場合には、前記複数の位置のいずれかの位置となるように前記位置変更部材の位置を調整することを特徴とする請求項１記載の操作ボタン装置。
【請求項３】
前記被押圧部材が前記初期位置から移動したときに、前記被押圧面から突出させる位置と、被押圧面から突出しない位置との間で移動する突起物を備えていることを特徴とする請求項１又は２記載の操作ボタン装置。
【請求項４】
前記位置調整機構は、前記位置変更部材の位置と、前記突起物の位置との調整を同時に行うことを特徴とする請求項３記載の操作ボタン装置。
【請求項５】
請求項１〜４いずれか記載の操作ボタン装置と、
複数の当選役のいずれか、又はハズレを抽選にて決定する当選役決定手段と、
前記当選役決定手段の抽選結果に基づいて、前記位置調整機構を作動させる作動制御手段と、を備えていることを特徴とする遊技機。
【請求項６】
前記当選役決定手段の抽選結果に基づいて、前記位置変更部材の移動量を抽選にて決定する移動量決定手段を備え、
前記作動制御手段は、前記移動量決定手段の結果に基づいて、前記位置調整機構の作動制御を行うことを特徴とする請求項５記載の遊技機。
【発明の詳細な説明】
【技術分野】
【０００１】
本発明は、例えばリールを停止させる際に押圧操作されるストップボタン等の操作ボタン装置、及びこのような操作ボタン装置を用いた遊技機に関するものである。
【背景技術】
【０００２】
本明細書中では遊技機の１つとしてパチスロ機を例に挙げて説明しているため、遊技を行うための遊技媒体としてメダルを用いて説明するが、遊技媒体としてはパチンコ玉など他の媒体も含む。また、「メダルの投入」には、実際にメダル投入口にメダルを投入することの他に、クレジットされたメダルをベットボタンの操作によって投入することを含む。さらに、ハズレ、又は複数種類の当選役のいずれかであるかを決定する抽選を当選役抽選、当選役を構成する図柄を入賞有効ライン上に揃えた状態を入賞、当選役抽選により当選役に当選し、これが入賞されるまでの状態を内部当選とする。なお、当選役抽選によってハズレとなる場合には、入賞有効ライン上に当選役を構成する図柄を揃えることができなくなっている。
【０００３】
パチンコ店などの遊技場に設置して使用されるスロットマシンはパチスロ機と称され、メダルに一定の価値が与えられて、遊技を行って獲得したメダルを種々の景品に交換することができる。一般に、スロットマシンでは、１〜３枚のメダルを投入した後に、スタートレバーを操作すると、遊技が開始され、複数種類の当選役のいずれか、又はハズレであるかの抽選（以下、当選役抽選）が行われるとともに、例えば３個のリールが回転を開始する。これらリールが回転を開始した後、ストップボタンの押圧操作が有効となり、遊技者がストップボタンを操作すると、押圧操作したストップボタンに対応するリールが停止する。そして、全てのリールが停止し、表示窓から表示される図柄によって、その遊技において入賞したか否かが表示され、入賞した場合に、入賞に基づいたメダルの払い出しが行われる。このようなスロットマシンには、遊技モードとしては、通常の遊技が行われる通常モードや、例えばビッグボーナス（以下、ＢＢ）モードやレギュラーボーナス（以下、ＲＢ）モードなど、通常モードよりもメダルを獲得しやすくなる特別遊技モードなどが設けられている。ＢＢモードやＲＢモードには、通常モードで行われる当選役抽選でＢＢ移行役やＲＢ移行役に当選し、さらにこれらを入賞させると移行する。
【０００４】
ＲＢモードは１枚のメダルを投入して遊技が行われ、通常モードよりもペイアウト率が高くなる。ＢＢモードでは、そのモード中にＲＢモードに複数回移行することが可能となっている。また、ＢＢモードではＲＢモードの前にＲＢモードに移行させるためのＲＢ導入遊技が実行される。ＲＢ導入遊技では３枚のメダルを投入して遊技が行われ、ＲＢ導入のための当選役の抽選が行われると共に、メダルが払い出される小役の当選確率が通常モードよりも高くなる。ＢＢモードはＲＢモードに所定回数移行するか、又はＲＢ導入遊技が所定回数行われると終了する。このため、ＢＢモードでは、ＲＢモードに所定回数移行させつつＲＢ導入遊技をより多く行うことで、より多くのメダルを獲得することができる。このため、スロットマシンにおいて遊技を行う場合には、上述したＢＢモードやＲＢモードへ移行させることが遊技者の興趣を抱かせるものとなりやすい。
【０００５】
このようなスロットマシンでは、ＲＢ移行役やＢＢ移行役が内部当選している場合、遊技において入賞を得られなかったときに、例えば図柄表示窓から表示される図柄の停止態様により報知されることが一般的である。しかしながら、図柄表示窓から表示される図柄の停止態様によって、内部当選しているか否かを判断できるのは遊技者が熟練者の場合であり、遊技者が非熟練者に対して不公平感を生じるものとなりやすい。このような欠点を解消する方法として、例えば、前面扉の裏面側であって、ストップボタンの近傍となる箇所にソレノイドを用いた振動発生手段を設け、遊技状態に応じて前面扉を振動させる、或いは振動させるパターンを変化させることで、遊技者に当選役抽選の結果を報知するものが考案されている（特許文献１）。
【０００６】
また、この他に、ストップボタンの内部に、操作部と固定部との間に挟持される第１の弾性体と、その一端が操作部に固定される第２の弾性体と、第２の弾性体の他端に当接させる位置と、当接しない位置との間で移動される電動シリンダとを設け、遊技状態によって電動シリンダを駆動させて第２の弾性体の他端を電動シリンダの端部に当接させることで、操作部に掛かる弾性体の付勢力を変化させる、つまり押圧操作時の抵抗力を変化させるものが提案されている（特許文献２）。
【特許文献１】特開平１１−１９２７６号公報
【特許文献２】特開２００４−３１３３８０号公報
【発明の開示】
【発明が解決しようとする課題】
【０００７】
しかしながら、例えば前面扉を振動、或いは衝撃を与える、或いはストップボタンの操作部に掛かる弾性体の付勢力を変化させることで内部当選しているか否か等遊技状態を報知する場合、従来とは異なる報知を行うことができ、また、遊技者の技量に関係なく報知することができるという利点があるが、遊技者の体感レベルには個人差があり、全ての遊技者が体感できるようにするレベルまで振動を強くする、或いはストップボタンの操作部に掛かる弾性体の付勢力を強くすると、逆に遊技を行いづらくなるという問題がある。
【０００８】
本発明は、上記課題を解決するためになされたものであり、押圧操作時に、遊技状態や当選役抽選の結果を確実に報知することができるようにした操作ボタン装置、及びこれを用いた遊技機を提供することを目的とする。
【課題を解決するための手段】
【０００９】
上記目的を達成するために、本発明の操作ボタン装置は、押圧される被押圧面を有する被押圧部材と、前記被押圧面が非押圧状態となる初期位置と前記被押圧面が押圧されたときの最大移動量となる最大押圧位置との間で移動可能となるように、前記被押圧部材を保持する保持部材とを備えた操作ボタン装置において、前記最大押圧位置に向けて移動する被押圧部材に当接することで、前記被押圧部材が最大移動位置まで移動しないように前記被押圧部材の押圧位置を変更する位置変更部材と、前記被押圧部材が前記最大押圧位置に向けて移動する過程で、該被押圧部材に当接する位置と、該被押圧部材に当接しない位置又は前記最大押圧位置に到達した前記被押圧部材と当接する位置のいずれか一方の位置との間で、前記位置変更部材の位置調整を行う位置調整機構と、を備えたことを特徴とするなお、非押圧状態とは、被押圧面が押圧されない状態であり、例えば被接触面に指や手が触れていない状態、或いは遊技者の指や手が触れているが被押圧面を押圧しない場合が挙げられる。
【００１０】
また、前記被押圧部材が前記最大押圧位置に向けて移動する過程で該被押圧部材と当接する位置は、前記被押圧部材の初期位置からの移動量が異なる複数の位置からなり、前記位置調整機構は、前記被押圧部材が前記最大押圧位置に向けて移動する過程で該被押圧部材と当接する位置へと移動させる場合には、前記複数の位置のいずれかの位置となるように前記位置変更部材の位置を調整することを特徴とする。
【００１１】
また、前記被押圧部材が前記初期位置から移動したときに、前記被押圧面から突出させる位置と、被押圧面から突出しない位置との間で移動する突起物を備えていることを特徴とする。
【００１２】
また、前記位置調整機構は、前記位置変更部材の位置と、前記突起物の位置との調整を同時に行うことを特徴とする。
【００１３】
また、本発明の遊技機は、上述した操作ボタン装置と、複数の当選役のいずれか、又はハズレを抽選にて決定する当選役決定手段と、前記当選役決定手段の抽選結果に基づいて、前記位置調整機構を作動させる作動制御手段と、を備えていることを特徴とする。
【００１４】
前記当選役決定手段の抽選結果に基づいて、前記位置変更部材の移動量を抽選にて決定する移動量決定手段を備え、前記作動制御手段は、前記移動量決定手段の結果に基づいて、前記位置調整機構の作動制御を行うことを特徴とする。
【発明の効果】
【００１５】
本発明の操作ボタン装置によれば、押圧される被押圧面を有する被押圧部材と、前記被押圧面が非押圧状態となる初期位置と前記被押圧面が押圧されたときの最大移動量となる最大押圧位置との間で移動可能となるように、前記被押圧部材を保持する保持部材とを備えた操作ボタン装置において、前記最大押圧位置に向けて移動する被押圧部材に当接することで、前記被押圧部材が最大移動位置まで移動しないように前記被押圧部材の押圧位置を変更する位置変更部材と、前記被押圧部材が前記最大押圧位置に向けて移動する過程で、該被押圧部材に当接する位置と、該被押圧部材に当接しない位置又は前記最大押圧位置に到達した前記被押圧部材と当接する位置のいずれか一方の位置との間で、前記位置変更部材の位置調整を行う位置調整機構と、を備えたから、例えば被押圧部材が操作されたときに、被操作部材の移動量が変化する場合があり、このような場合には、操作ボタンの操作時の違和感を遊技者に対して与えることができる。
【００１６】
また、前記被押圧部材が前記最大押圧位置に向けて移動する過程で該被押圧部材と当接する位置は、前記被押圧部材の初期位置からの移動量が異なる複数の位置からなり、前記位置調整機構は、前記被押圧部材が前記最大押圧位置に向けて移動する過程で該被押圧部材と当接する位置へと移動させる場合には、前記複数の位置のいずれかの位置となるように前記位置変更部材の位置を調整するから、被押圧部材の移動量が遊技によって異なるように変化することで、押圧操作時の違和感を遊技者に対して与えることができる。
【００１７】
また、前記被押圧部材が前記初期位置から移動したときに、前記被押圧面から突出させる位置と、被押圧面から突出しない位置との間で移動する突起物を備えているから、被押圧面を押圧したときに、被押圧面から突出する突起物によって、遊技者は押圧時の違和感を感じさせることができる。
【００１８】
また、前記位置調整機構は、前記位置変更部材の位置と、前記突起物の位置との調整を同時に行うから、調整機構の構成を複雑な構造とする必要はなく、操作ボタン装置の構造を簡易な構造にすることができる。
【００１９】
また、本発明の遊技機によれば、上述した操作ボタン装置と、複数の当選役のいずれか、又はハズレを抽選にて決定する当選役決定手段と、前記当選役決定手段の抽選結果に基づいて、前記位置調整機構を作動させる作動制御手段と、を備えているから、操作ボタンの操作時の違和感を利用した、当選役抽選の結果を遊技者に報知することができる。
【００２０】
また、前記当選役決定手段の抽選結果に基づいて、前記位置変更部材の移動量を抽選にて決定する移動量決定手段を備え、前記作動制御手段は、前記移動量決定手段の結果に基づいて、前記位置調整機構の作動制御を行うから、当選役における信頼度の報知を従来とは異なる方法で行うことができる。
【発明を実施するための最良の形態】
【００２１】
図１はスロットマシンの外観を示す斜視図である。スロットマシン２は、前面に開口を有する収納箱４と、この収納箱４の前面に設けられ、開口を塞ぐ前面扉５とからなる筐体３の内部に、後述する第１リール１０、第２リール１１、第３リール１２、ホッパー装置や電源装置（図示省略）等が配設された構成となっている。
【００２２】
前面扉５は、上部扉６と下部扉７との２枚の扉から構成される。上部扉６には、その中央に装飾パネル８が設けられ、この装飾パネル８の略中央に表示窓９が設けられている。この表示窓９の奥には第１リール１０、第２リール１１，第３リール１２が配設されている。周知のように、第１リール１０、第２リール１１、第３リール１２の外周面には、例えば複数種類の図柄が複数個配列される。第１リール１０、第２リール１１、第３リール１２が停止すると、第１リール１０、第２リール１１、第３リール１２に配列された図柄が、１リール当たり３個、表示窓９を介して表示される。これにより、表示窓９を通して表示される図柄は計９個となり、第１リール１０、第２リール１１、第３リール１２の図柄を１個ずつ組み合わせた直線状の入賞ラインが横３本斜め２本の計５本が設定されている。
【００２３】
この表示窓９の下方には、ＢＢモードにおける遊技回数や、クレジットされたメダルの枚数、或いは入賞時におけるメダルの払い出し枚数を表示する遊技表示部１５が設けられている。この遊技表示部１５としては、例えば７セグメント表示器や、液晶表示装置などが用いられる。この遊技表示部１５の図１中左側方には、後述するストップボタン３６の操作が有効であるか否かを報知する状態表示部１６が設けられている。この状態表示部１６は、ストップボタン３６の押圧操作が有効となる場合に、内部に配置されたＬＥＤ１４５（図５参照）が点灯されることにより発光表示される。なお、ストップボタン３６の押圧操作が無効となる場合や、遊技が実行されていない場合には、ＬＥＤ１４５は消灯されており、状態表示部１６は発光表示されない。
【００２４】
下部扉７には、遊技を行う際にメダルを投入するためのメダル投入口２０が設けられている。メダル投入口２０の奥にはセレクタ（図示せず）が組み込まれ、不適正なメダルはメダル払出口２１を介してメダル受け皿２２に排出される。また、セレクタは、例えば遊技の途中や各種の操作ボタンが押されたままの状態で投入された等の不適切なタイミングでメダルの投入が行われたときに、投入されたメダルをメダル受け皿２２に排出する。なお、遊技の開始に先立って投入できるメダルの枚数は１〜３枚に限られているため、クレジット機能を用いていないときには、投入された１〜３枚目までのメダルは、自動的に投入され、４枚目以降に投入されたメダルはメダル受け皿２２に排出される。
【００２５】
一方、クレジット機能がオン状態のときには４枚目以降に投入されたメダルは、セレクタに設けられたメダルセンサ１３４（図６参照）で検知された後、例えば５０枚を限度にスロットマシン２の内部に貯留される。なお、メダルがクレジットされているときに、メダル投入口２０からメダルを投入した場合には、投入された１〜３枚目までのメダルが自動的に投入され、４枚目以降に投入されたメダルがクレジットされる。
【００２６】
また、下部扉７の上部には、遊技の開始時に操作されているＭＡＸベットボタン３０、ペイアウトボタン３１などの各種の操作ボタンが設けられている。ＭＡＸベットボタン３０は、クレジットされたメダルのうち、使用枚数である３枚のメダルを投入する際に押圧操作される。なお、投入されたメダルとは、メダル投入口２０から直接メダルを投入するほかに、クレジットされたメダルを用いて、上述したＭＡＸベットボタン３０を操作することを含む。ペイアウトボタン３１は、クレジットされたメダルを払い出す際に押圧操作されるボタンである。
【００２７】
これらボタンの近傍には、スタートレバー３５や、ストップボタン（操作ボタン装置）３６が設けられている。スタートレバー３５は、遊技を実行する際に操作される。ストップボタン３６は、スロットマシン２に組み込まれたリールと同一数設けられている。以下では、第１リール１０の回転を停止させる際に操作されるストップボタンを第１ストップボタン３６ａ、第２リール１１の回転を停止させる際に操作されるストップボタンを第２ストップボタン３６ｂ、第３リール１２の回転を停止させる際に操作されるストップボタンを第３ストップボタン３６ｃと称して説明する。
【００２８】
図２〜図６に示すように、ストップボタン３６は、被押圧部材５０、保持筒５１、コイルバネ５２，フォトインタラプタ５３、突出ピン５４，支持板５５，移動量調整部材５６，コイルバネ５７，５８，位置調整機構５９，カバー６０とから構成される。
【００２９】
被押圧部材５０は、筒形状から構成され、その軸方向の前側端部が遮蔽された有底形状から構成される。この被押圧部材５０の前面がストップボタン３６の押圧操作時に押圧される被押圧面５０ａとなる。この被押圧面５０ａが押圧されることで、被押圧部材５０は図４中Ａ方向に移動する。この被押圧面５０ａとは反対側の面５０ｂの中心から筒部６５が突設されている。この筒部６５には、この筒部６５の中心軸と同軸となるように、また、被押圧面５０ａと筒部６５とを貫通する貫通孔６６が形成されている。この筒部６５の被押圧面５０ａ側の端部であって、その外周面には、９０°の間隔を空けてバネ止め片６７〜７０が設けられている。これらバネ止め片６７〜７０は、コイルバネ５２の一端が組み付けられる。また、筒部６５の外周面には、インデックス７１が突設されている。このインデックス７１は、被押圧面５０ａが押圧され、被押圧部材５０が保持筒５１の内部に押し込まれたときに、フォトインタラプタ５３によって検知される。なお、このインデックス７１が、フォトインタラプタ５３によって検知されたときの被押圧部材５０の位置を押圧位置として説明する。なお、被押圧部材５０が押圧位置となる場合、被押圧部材５０の被押圧面５０ａと反対側、つまり後方側となる端面５０ｃは、保持筒５１の内部に設けられた前面側収納部７４を構成する壁面７４ａに当接する（図１０参照）、或いは移動量調整部材５６のピン５６ｃ〜５６ｆの先端に当接する（図１２、又は図１４参照）。
【００３０】
この被押圧部材５０の外周面であって、その両側部には弾性を有する係止片７２，７３が設けられている。これら係止片７２，７３は、保持筒５１の内周面７４ｂに設けられたガイド溝７４ｃ，７４ｄにそれぞれ入り込む。なお、被押圧部材５０が保持筒５１の前面側収納部７４に組み付けられると、被押圧部材５０はコイルバネ５２によって図４中Ｂ方向に付勢される。この付勢により、係止片７２の当接面７２ａが、保持筒５１のガイド溝７４ｃの端面７４ｅに、係止片７３の当接面７３ａが保持筒５１のガイド溝７４ｄの端面７４ｆにそれぞれ当接され、被押圧部材５０が保持筒５１から脱状態となることを防止する。この状態では、被押圧部材５０は、被押圧面５０ａが押圧されていない状態（非押圧状態）となる位置に保持されている。以下では、この状態の被押圧部材５０の位置を初期位置として説明する。
【００３１】
保持筒５１は両端が開口された筒形状からなり、被押圧部材５１が挿入される前面側収納部７４と、支持板５３と移動量調整部材５６等が収納される後面側収納部７５とを備えている。これら収納部７４，７５の間には仕切り部７６が設けられている。この仕切り部７６には、前面側収納部７４に向けて突出するバネ保持部７７が設けられている。このバネ保持部７７は筒状からなり、コイルバネ５２の他端に挿通される。このバネ保持部７７の内部空間７７ａには、フォトインタラプタ５３が収納される。このバネ保持部７７の内部空間７７ａを構成する端面７７ｂから、後面側収納部７５に設けられた挿入空間８０の壁面８０ａに向けて挿通孔７８が設けられている。この挿通孔７８は、被押圧部材５０の筒部６５の先端部や、後述する突出ピン５４が挿通される。
【００３２】
後面側収納部７５は、後述する支持板５５を保持するために設けられている。この後面柄収納部７５を構成する壁面７５ａの中央には、前面側収納部７４に向けて円柱形状に切り欠かれた空間８０が形成されている。この空間８０は、後述する突出ピン５４の鍔部５４ｂが挿入される（以下、挿入空間８０）。この挿入空間８０の底面８０ａの外周に沿って、また前面側収納部７４に向けて円筒状に切り欠かれた空間８１が形成されている。この空間（以下、バネ収納部）８１には、コイルバネ５７の一端が挿入される。
【００３３】
また、仕切り部７６であって、前面側収納部７４を構成する壁面７４ａから、後面側収納部７５を構成する壁面７５ａにかけて、４つの挿通孔８５〜８８が設けられている。これら挿通孔８５〜８８は、例えば保持筒５１の中心軸を中心にして、例えば９０°間隔で、保持筒５１の周面に沿うように設けられている。これら挿通孔８５〜８８には、移動量調整部材５６のピン５６ｃ〜５６ｆが、後面側収納部７５を構成する壁面７５ａ側から挿入される。
【００３４】
この保持筒５１の前面側収納部７４の内周面７４ｂには、ガイド溝７４ｃ、７４ｄが設けられている。これらガイド溝７４ｃ，７４ｄは、それぞれ他方のガイド溝に対面するように設けられている。これらガイド溝７４ｃ，７４ｄは、被押圧部材５０を保持筒５１の内部に挿入して組み付ける際に、被押圧部材５０に設けられた係止片７２，７３がそれぞれ弾性変形し挿入される。なお、被押圧部材５０はコイルバネ５２によって図４中Ｂ方向に付勢されているので、ガイド溝７４ｃの前方側の端面７４ｅに係止片７２の当接面７２ａが、ガイド溝７４ｄの前方側の端面７４ｆに係止片７３の当接面７３ａがそれぞれ当接されることで、被押圧部材５０が保持筒５１に保持される。
【００３５】
また、保持筒５１の後面側収納部７５の開口側の端部には、係合片９０，９１が後方に向かって、上下に延設されている。これら係合片９０，９１には、係合孔９０ａ，９１ａがそれぞれ設けられている。これら係合片９０，９１は、カバー６０を保持筒５１に組み付ける際に、有底円筒状のカバー６０の外周面に、且つ中心軸方向に延びる上下の直線状の溝１１２，１１３にそれぞれ挿入される。そして、溝１１２の底面１１２ａに設けられた係止突起１１４と係合孔９０ａとが、溝１１３の底面１１３ａに設けられた係止突起１１５と係合孔９１ａとがそれぞれ係合することで、カバー６０が保持筒５１に組み付けられる。
【００３６】
コイルバネ５２は、上述したように、その一端に被押圧部材５０のバネ止め片６７〜７０が挿入され、その他端に、保持筒５１のバネ保持部７７が挿入され、前面側収納部７４を構成する壁面７４ａに当接する。これにより、コイルバネ５２は、保持筒５１に組み付けられた被押圧部材５０を図４中Ｂ方向に付勢する。
【００３７】
フォトインタラプタ（以下、ＰＩ）５３は、被押圧部材５０の筒部６５の外周から突出して設けられたインデックス７１を検知するために設けられている。このＰＩ５３は、バネ保持部７７に設けられた内部空間に収納される。このＰＩ５３がインデックス７１を検知すると、その検知信号が遊技制御装置１３０（図７参照）に出力される。これを受けて、遊技制御装置１３０は回転するリールを停止させる。なお、被押圧部材５０は、その押圧位置までの移動量が後述する移動量調整部材５６の位置によって変化するが、このＰＩ５３は、被押圧部材５０の押圧位置までの移動量が変化しても、被押圧部材５０に設けられたインデックス７１を検知できる位置に組み付けられている。
【００３８】
突出ピン（突起物）５４は、後述する移動量調整部材５６に押圧されることで、図４に示す位置から図４中Ｃ方向に移動する。この突出ピン５４は、ピン本体５４ａ、鍔部５４ｂ、筒部５４ｃとから構成されている。ピン本体５４ａは、被押圧部材５０の筒部６５に設けられた挿通孔６６に挿入され、例えば被押圧部材５０が図４中Ａ方向に移動したときに、その先端が被押圧面５０ａから突出される（図１４参照）。なお、ピン本体５４ａの素材については詳細は記載しないが、このピン本体５４ａ、或いはピン本体５４ａの先端部を硬い樹脂などの素材から構成した場合には、ピン本体５４ａの先端を半球面状に形成し、被押圧面５０ａからの突出量を例えば１〜２ｍｍ等僅かなものにする。また、ピン本体５４ａ、或いはピン本体５４ａの先端部をスポンジやゴムなどの柔らかい素材から構成した場合には、被押圧面５０ａから例えば５ｍｍなど多めに突出させる。このようにすることで、例えば指先に大きな負荷を与えることで指先を怪我することを防止することができるとともに、心地よい刺激を指先に与えることができる。
【００３９】
鍔部５４ｂは、バネ収納部８１に収納されたコイルバネ５７の一端が当接される。この、コイルバネ５７の一端が鍔部５４ｂに当接されることで、突出ピン５４が支持板５５に当接された状態で保持される。また、鍔部５４ｂは、突出ピン５４が図４中Ｃ方向に移動したときに挿入空間８０を構成する壁面８０ａに当接されることで、突出ピン５４の図４中Ｃ方向の移動を禁止するストッパとして機能する（図１１、図１３参照）。
【００４０】
筒部５４ｃは、その内部の空間９３にコイルバネ９５，押圧ピン９６が順に挿入される。この筒部５４ｃには、ガイド孔９７が形成されている。これにより、筒部５４ｃに組み込まれる押圧ピン９６の移動方向が規制される。コイルバネ９５は、押圧ピン９６を図６中Ｅ方向に付勢する。なお、このコイルバネ９５の弾性力は、コイルバネ５７の弾性力よりも強く形成されている。
【００４１】
押圧ピン９６は、例えば移動量調整部材５６が移動した時に、センターピン５６ｂが当接される（図１１、図１３参照）。これにより、突出ピン５４が図４中Ｃ方向に移動する。例えば、移動量調整部材５６が第１突出位置まで移動する場合には、突出ピン５４の鍔部５４ｂが、挿入空間８０の壁面８０ａに当接されることで、押圧ピン９６が筒部５４ｃの内部の空間９３に（図６中Ｆ方向に）押し込まれる。この押圧ピン９６の周面には、抜け止めピン９６ａが形成されており、この押圧ピン９６を筒部５４ｃに挿入したときに、上述したガイド孔９７に抜け止めピン９６ａを挿入させることで、コイルバネ９５によって図６中Ｅ方向に付勢される押圧ピン９６が筒部５４ｃから抜け落ちることが防止される。
【００４２】
支持板５５は、コイルバネ５７によって付勢される突出ピン５４の鍔部５４ｂが当接されることで、突出ピン５４を支持する。この支持板５５の中央には、上述した突出ピン５４の筒部５４ｃや、移動量調整部材５６のセンターピン５６ｂが挿通される開口５５ａが形成されている。また、この開口５５ａの周りには、４つの挿通孔５５ｂ〜５５ｅが、９０°間隔を空けて設けられている。なお、この支持板５３は、後面側収納部７５を構成する壁面７５ａに当接された状態で、後面側収納部７５に収納保持される。
【００４３】
移動量調整部材（位置変更部材）５６は、被押圧部材５０の被押圧面５０ａが押圧されたときに移動する被押圧部材５０の移動量を調整する部材である。この移動量調整部材５６は、円盤状の基板５６ａと、該基板５６ａの平面と直交するように設けられた５本のピン５６ｂ〜５６ｆが立設されている。これらピン５６ｂ〜５６ｆのうち、基板５６ａの中央に設けられるピン（以下、センターピン）５６ｂは、他の４本のピン５６ｃ〜５６ｆよりも軸方向の長さが短く形成されている。このセンターピン５６ｂは、移動量調整部材５６の図４中Ｇ方向への移動時に上述した突出ピン５４の筒部５４ｃに組み付けられた押圧ピン５６を押圧するために設けられている。
【００４４】
また、他のピン５６ｃ〜５６ｆは、センターピン５６ｂよりも軸方向の長さが長く形成されている。これらピン５６ｃ〜５６ｆはセンターピン５６ｂを中心として、９０°間隔を空けて設けられている。例えばピン５６ｃは支持板５５の挿通孔５５ｂ、及び保持筒５１の挿通孔８５に挿通される。同様にして、ピン５６ｄは支持板５５の挿通孔５５ｃ、及び保持筒５１の挿通孔８６に、ピン５６ｅは支持板５５の挿通孔５５ｄ、及び保持筒５１の挿通孔８７にそれぞれ挿通される。また、ピン５６ｆは支持板５５の挿通孔５５ｅ、及び保持筒５１の挿通孔８８に挿通される。
【００４５】
例えば、移動量調整部材５６が図４に示す位置にある時には、ピン５６ｃ〜５６ｆの先端部が、それぞれ挿通孔８５〜８８の内部にそれぞれ収納されており、前面側収納部７４を構成する壁面７４ａから突出していない。この場合の移動量調整部材５６の位置を退避位置とする。移動量調整部材５６が退避位置にある場合に被押圧部材５０の被押圧面５０ａが押圧されたときには、被押圧部材５０は、図４に示す初期位置から、被押圧部材５０の端面が前面側収納部７４を構成する壁面７４ａに当接される押圧位置（図１０参照）まで移動する。この場合の被押圧部材５０の移動量が最大となることから、このときの被押圧部材５０の移動量は最大移動量となり、被押圧部材５０の後方側の端面５０ｃが前面側収納部７４を構成する壁面７４ａに当接される押圧位置を最大押圧位置となる。なお、突出ピン５４のピン本体５４ａの先端は、被押圧部材５０の筒部６５に設けられた挿入孔６６の内部に収納された状態が保持され、被押圧面５０ａからは突出しない。
【００４６】
また、移動量調整部材５６が後述するカム１０１の回転によって移動した場合には、移動量調整部材５６のピン５６ｃ〜５６ｆは、前面側収納部７４を構成する壁面７４ａから突出した状態となる（図１１参照）。この場合の移動量調整部材５６の位置を第１突出位置として説明する。移動量調整部材５６が退避位置から図４中Ｇ方向に移動すると、移動量調整部材５６のセンターピン５６ｂが突出ピン５４の筒部５４ｃに組み付けられた押圧ピン９６を押圧するので、突出ピン５４が図４中Ｃ方向に移動し、鍔部５４ｂが挿入空間８０の壁面８０ａに当接される。この場合、鍔部５４ｂが挿入空間８０の壁面８０ａに当接された後も移動量調整部材５６が図４中Ｇ方向に移動することから、押圧ピン９６が筒部５４ｃに設けられた空間９３の内部に（図６中Ｆ方向に）押し込まれる。
【００４７】
この状態で、被押圧部材５０の被押圧面５０ａが押圧されたときには、被押圧部材５０は、図１１に示す初期位置から、被押圧部材５０の後方側の端面５０ｃが壁面７４ａから突出したピン５６ｃ〜５６ｆの先端と当接される押圧位置まで移動する（図１２参照）。この場合、突出ピン５４のピン本体５４ａの先端は、被押圧部材５０の筒部６５に設けられた挿入孔６６の内部に収納された状態が保持された状態が保持されているので、被押圧面５０ａからは突出しない。これにより、移動量調整部材５６が第１突出位置にある場合の被押圧部材５０の移動量は、退避位置にある場合の移動量に比べて短くなる。
【００４８】
一方、移動量調整部材５６が後述するカム１０２の回転によって移動した場合には、移動量調整部材５６のピン５６ｃ〜５６ｆは、前面側収納部７４を構成する壁面７４ａから突出した状態となる（図１３参照）。この場合の移動量調整部材５６の位置を第２突出位置として説明する。移動量調整部材５６が退避位置から第２突出位置まで移動すると、移動量調整部材５６のセンターピン５６ｂが突出ピン５４の筒部５４ｃに組み付けられた押圧ピン９６を押圧するので、突出ピン５４が図４中Ｃ方向に移動し、鍔部５４ｂが挿入空間８０の壁面８０ａに当接される（図１４参照）。この場合、鍔部５４ｂが挿入空間８０の壁面８０ａに当接されたときに、移動量調整部材５６の図４中Ｃ方向への移動が停止することから、押圧ピン９６は筒部９６に設けられた空間９３の内部には押し込まれない。
【００４９】
この状態で、被押圧部材５０の被押圧面５０ａが押圧されたときには、被押圧部材５０は、図１３に示す初期位置から、被押圧部材５０の端面が壁面７４ａから突出したピン５６ｃ〜５６ｆの先端と当接される押圧位置（図１４参照）まで移動する。このとき、突出ピン５４のピン本体５４ａの先端は、挿通孔６６の内部に保持された状態から被押圧面５０ａから突出する。これにより、移動量調整部材５６が第２突出位置にある場合には、退避位置にある場合に比べて、被押圧部材５０の移動量が短くなり、さらに突出ピン５４のピン本体５４ａの先端が被押圧面５０ａから突出する。また、移動量調整部材５６が第２突出位置にある場合の被押圧部材５０の移動量は、第１突出位置にある場合の移動量に比べて短くなる。
【００５０】
コイルバネ５７は、その一端がバネ収納部８１に収納固定され、その一端と反対側の他端が、突出ピン５４の鍔部５４ｂに当接された状態で保持される。これにより、突出ピン５４を図５中Ｈ方向に付勢する。これにより、突出ピン５４の鍔部５４ｂは、支持板５５に当接された状態で保持される。
【００５１】
コイルバネ５８は、支持板５５と、移動量調整部材５６の基板５６ａとの間に配置されている。支持板５５は、保持筒５１の後面側収納部７５を構成する壁面７５ａに当接された状態で保持されているので、コイルバネ５８は移動量調整部材５６を図６中Ｉ方向に付勢する。この付勢を受けることで、移動量調整部材５６の基板５６ａは、カバー６０の内壁面６０ａに設けられた移動防止片１０５〜１０８に当接された状態で保持される。このとき、移動量調整部材５６のピン５５ｃ〜５５ｆは、保持筒５１の挿通孔８５〜８８に挿入された状態で保持される。
【００５２】
位置調整機構５９は、ステッピングモータ１００、カム１０１，１０２とから構成されている。ステッピングモータ１００は、詳細は記載しないが、カバー６０の内部に組み付け保持されている。このステッピングモータ１００はドライバ１６０（図７参照）によって駆動される。なお、ステッピングモータ１００は、１パルスあたりの駆動軸の回転角が一定であるから、ドライバ１６０は、駆動時に必要なパルス数分だけ、ステッピングモータ１００を駆動させる。また、駆動軸を１回転させる総パルス数もわかっているから、一回ステッピングモータ１００を駆動した後に、駆動軸を１回転させる総パルス数から実際に駆動したときに使用したパルス数を差し引いて、差し引かれたパルス数分だけ、ステッピングモータ１００を駆動させる。
【００５３】
ステッピングモータ１００の駆動軸にはカム１０１，１０２が組み付けられた回転軸１０３が組み付けられている。なお、カム１０１，１０２は、カム１０１の長手方向と、カム１０２の長手方向とが９０°位相をずらして回転軸１０３に組み付けられる。
【００５４】
カム１０１は、移動量調整部材５６を第１突出位置に移動させる際に使用され、カム１０２は、移動量調整部材５６を第２突出位置に移動させる際に使用される。これらカム１０１，１０２は、略方形板状から構成されている。これらカム１０１，１０２のうち、カム１０１の長手方向の長さは、カム１０２のそれよりも長く形成されている。これらカム１０１，１０２の一端は半円弧状から構成されている。例えば、カム１０１が図４中Ｊ方向に回転すると、半円弧状の周面（以下、押圧面）１０１ａによって、移動量調整部材５６の基板５６ａを押圧する。これにより、移動量調整部材５６はコイルバネ５８の付勢に抗して、図４中Ｇ方向に移動する。例えば移動量調整部材５６を第１突出位置まで移動させる場合には、カム１０１が図４に示す位置から９０度回転した後には、カム１０１の押圧面１０１ａによって移動量調整部材５６は、第１突出位置に保持される。
【００５５】
同様にして、カム１０２が図４中Ｊ方向に回転すると、半円弧状の周面（以下、押圧面）１０２ａによって、移動量調整部材５６の基板５６ａを押圧する。これにより、移動量調整部材５６はコイルバネ５８の付勢に抗して、図４中Ｇ方向に移動する。そして、例えば図４に示す位置からカム１０２が１８０度回転することで、ステッピングモータ１００は停止するので、この押圧面１０２ａによって、移動量調整部材５６は、第２突出位置に保持される。なお、本実施形態の場合には、移動量調整部材５６を退避位置から第２突出位置まで移動させる場合には、移動量調整部材はカム１０１によって第１突出位置まで移動した後、一端コイルバネ５８の付勢力によって退避位置に向けて移動することになるが、カム１０２の押圧面１０２ａと当接されることで、再度、図４中Ｇ方向に向けて移動する。
【００５６】
カバー６０は、保持筒５１の後面側収納部７５の開口を被覆するように組み付けられる。このカバー６０は有底円筒状に構成され、その前面が開口された形状からなる。このカバー６０の内壁面６０ａには、９０°間隔で、移動防止片１０５〜１０８が突出して設けられている。この移動防止片１０５〜１０８は、コイルバネ５８の付勢を受けた移動量調整部材５６の基板５６ａが当接し、その移動を防止する。このカバー６０の内壁面６０ａには、上述する回転軸１０３を回転自在に受ける軸受け片１１０，１１１が設けられている。
【００５７】
このカバー６０の外壁面６０ｂであって、その上部及び下部には、中心軸に沿った直線状の溝１１２，１１３がそれぞれ設けられている。これら溝１１２，１１３には、保持筒５１の弾性を有する係合片９０，９１がスライド挿入される。これら溝１１２，１１３の底面１１２ａ，１１３ａには、係止突起１１４，１１５がそれぞれ設けられており、カバー６０を保持筒５１に組み付けたときには、係合片９０が弾性変形することで係合孔９０ａに係止突起１１４が入り込み、係合孔９０ａと係止突起１１４とが係合される。同様にして、係合片９１が弾性変形することで係合孔９１ａに係止片１１５が入り込み、係合孔９１ａと係止突起１１５とが係合される。これにより、カバー６０が保持筒５１に固定される。
【００５８】
図７は、スロットマシン２の電気的構成を示す機能ブロック図である。スロットマシン２は、遊技における基本的制御を行う遊技制御装置１３０を備えている。遊技制御装置１３０は、ＣＰＵ１３１、ＲＯＭ１３２及びＲＡＭ１３３を備えている。ＣＰＵ１３１は、スロットマシン２に給電が行われると、ＲＯＭ１３２に記憶された起動プログラムを読み出して、そのプログラムを実行する。ＲＡＭ１３３は、遊技中の制御におけるデータが記憶される他に、設定変更時における設定値等が記憶される。このＣＰＵ１３１には、上述した３個のストップボタンがそれぞれ電気的に接続されている。なお、「電気的に接続される」とは、具体的には、遊技制御装置１３０のＣＰＵ１３１によってロータリーソレノイド９２への給電、給電停止の制御が行われる他に、ストップボタン３６の押圧操作時に、被押圧部材５０に設けられたインデックス７１をＰＩ５３が検知した場合に、その検知信号が遊技制御装置１３０に入力されると、遊技制御装置１３０のＣＰＵ１３１によって、対応するリールが停止されることを示す。
【００５９】
メダルセンサ１３４は、セレクタの内部に設けられ、セレクタによって真贋判定によって正規のメダルと判定されたメダルを検出する。ＣＰＵ１３１には、図示しないメダルカウンタが設けられており、例えばクレジット機能が有効となる場合には、４枚目以降のメダルの検知信号をメダルカウンタによって計数していく。一方、１〜３枚目までに投入されたメダルの検知信号の場合には、そのそれぞれの検知信号に基づいて、ＣＰＵ１３１は有効となる入賞ラインの表示を行う。
【００６０】
ベットスイッチセンサ１３５は、ＭＡＸベットボタン３０の内部に配設されている。ＭＡＸベットボタン３０が押圧操作されると、ベットスイッチセンサ１３５がオンとなり、そのオン信号（以下、投入信号）がＣＰＵ１３１に向けて出力される。この投入信号を受けて、ＣＰＵ１３１は、ＲＡＭ１３３を参照した後に、ＲＯＭ１３２に記憶された投入プログラムを読み出して投入処理を行う。この投入処理の際に、ＣＰＵは有効となる入賞ラインの表示を行う。
【００６１】
スタートスイッチセンサ１３６は、スタートレバー３１が押下されることによってオンとなり、そのオン信号（以下、スタート信号）がＣＰＵ１３１に出力される。ＣＰＵ１３１は、入力されたスタート信号を受けて、ＲＯＭ１３２に格納された遊技制御プログラム（図示せず）や、ＲＡＭ１３３に一時記憶されたデータを読み出して、遊技処理を開始する。
【００６２】
第１リール１０、第２リール１１、第３リール１２の各リールの基準位置には、インデックス１０ａ，１１ａ，１２ａがそれぞれ設けられ、その一回転ごとにフォトセンサ１４０，１４１，１４２によって、それぞれのインデックス１０ａ，１１ａ，１２ａの通過が光電検出される。フォトセンサ１４０，１４１，１４２による検知信号は、リールごとのリセット信号としてＣＰＵ１３１に出力される。なお、第１リール１０、第２リール１１、第３リール１２には、ステッピングモータ１４５，１４６，１４７の駆動軸がそれぞれ圧入されており、ステッピングモータ１４５，１４６，１４７の作動によって、これら第１リール１０、第２リール１１、第３リール１２が回転する。図３では、便宜上、第１リール１０とステッピングモータ１４５、第２リール１１とステッピングモータ１４６、第３リール１２とステッピングモータ１４７とをそれぞれ実線で囲って示してある。なお、符号１４８，１４９，１５０は、ステッピングモータ１４５，１４６，１４７をそれぞれ駆動させるドライバである。
【００６３】
なお、ＣＰＵ１３１には、ステッピングモータごとにパルスカウンタ（図示せず）が設けられ、各々のステッピングモータに供給された駆動パルスの個数を計数する。これにより、フォトセンサ１４０，１４１，１４２からのリセット信号が入力されるたびにクリアされ、再びアップカウントされる。ＣＰＵ１３１は、リールごとにパルスカウンタのカウント値を監視することによって、例えば横中央の入賞ライン上にどの図柄が移動してきているのかを識別することができ、また、どの程度リールを回転させれば目的の図柄が有効となる入賞ライン上に移動してくるのかを予測することができる。また、対応するストップボタン３６が押圧操作され、インデックス７１をＰＩ５３が検知したことを示す検知信号を受けると、ＣＰＵ１３１は押圧操作されたストップボタンに対応するドライバに対して駆動パルスの供給を停止する。これにより、ストップボタンの押圧操作を行うと、対応するリールの回転が停止される。
【００６４】
ＣＰＵ１３１は、制御部１５５、第１乱数取得部１５６、第２乱数取得部１５７、当選役決定部（当選役決定手段）１５８、移動決定部（移動量決定手段）１５９を備えている。制御部１５５は、ＲＯＭ１３２に記憶された遊技制御プログラムに基づいて、例えば、第１リール１０、第２リール１１、第３リール１２の回転・停止制御、入賞となる場合の払い出し制御等を実行する。
【００６５】
第１乱数取得部１５６は、スロットマシン２に給電が開始されると、乱数の更新処理を開始し、スタートスイッチセンサ１３６からのスタート信号が出力された時点の乱数（以下、第１乱数）を取得する。この第１乱数取得部１５６において取得された第１乱数はＲＡＭ１３３に記憶され、当選役決定部１５８で使用される。
【００６６】
第２乱数取得部１５７は、第１乱数取得部１５６と同様に、スロットマシン２に給電が開始されると、乱数の更新処理を開始し、スタートスイッチセンサ１３６からのスタート信号が出力された時点の乱数（以下、第２乱数）を取得する。この第２乱数取得部１５７において取得された第２乱数はＲＡＭ１３３に記憶され、移動決定部１５９で使用される。
【００６７】
当選役決定部１５８は、第１乱数取得部１５６において取得された第１乱数と、ＲＯＭ１３２に記憶された乱数テーブル１６５とから、複数種の当選役のいずれか、或いはハズレかを決定する。なお、以下では、第１乱数取得部１５６における第１乱数の取得、及び当選役決定部１５８における複数種の当選役のいずれか、或いはハズレの決定を、当選役抽選として説明する。なお、この当選役抽選の結果は、ＲＡＭ１３３に記憶される。なお、複数の当選役には、例えば、通常モードの遊技よりも出球率（利益付与価値）が高くなるＢＢモード（特別遊技モード）やＲＢモード（特別遊技モード）へ移行するＢＢ移行役（特別遊技移行役）やＲＢ移行役（特別遊技移行役）等の移行役の他に、入賞したときにメダルの払い出しのみが行われるベル役や、プラム役の他に、入賞したときに、メダルの投入を行わなくても次回の遊技の権利を得られるリプレイ役等の小役から構成されている。なお、次回の遊技の権利を得られるとは、入賞したときに、クレジットされたメダルや、メダル投入口５５からのメダルを用いずに、自動的にメダルが投入されることを示す。また、ＲＢ移行役や、ＢＢ移行役は、その当選時に入賞させることができない場合には、以降の遊技に持ち越しができる当選役である。
【００６８】
移動決定部１５９は、例えば上述した当選役抽選における結果に基づいて、上述した移動量調整部材を、第１突出位置、又は第２突出位置まで移動させる、或いは移動させないかを決定する。この移動決定部１５９は、第２乱数取得部１５７において取得された第２乱数と、ＲＯＭ１３２に記憶された第１確率テーブル、第２確率テーブル、第３確率テーブルのいずれかのテーブルとを用いて、移動量調整部材の移動量を決定する。なお、以下では、第２乱数取得部１５７における第２乱数の取得、及び移動決定部１５９において移動量調整部材５５の移動量の決定を、移動抽選として説明する。
【００６９】
例えばこの移動抽選で第１突出位置まで移動させることが決定された場合には、制御部（作動制御手段）１３５は、ドライバ１６０を介して全てのストップボタン３６の内部に組み込まれたステッピングモータ１００を駆動し、回転軸１０３を９０°回転させる。同様にして、移動抽選で第２突出位置まで移動させることが決定された場合には、制御部１３５は、ドライバ１６０を介して全てのストップボタン３６の内部に組み込まれたステッピングモータ１００を駆動し、回転軸１０３を１８０°回転させる。なお、移動抽選で移動させないことが決定された場合には、制御部は、ステッピングモータ１００を駆動させない。
【００７０】
ＬＥＤ１６１は、装飾パネル８に設けられた状態表示部１６の背面に設けられ、ストップボタン３６の押圧操作が有効となる場合に点灯する。このＬＥＤ１６１が点灯することで、状態表示部１６が発光表示され、遊技者にストップボタン３６の押圧操作が有効になったことが報知される。なお、このＬＥＤ１６１の点灯、消灯制御はドライバ１６２によって行われる。
【００７１】
ＲＯＭ１３２には、上述した起動プログラムや、遊技制御プログラム、投入プログラム等のプログラムの他に、乱数テーブル１６５、図柄テーブル１６６、第１確率テーブル１６７、第２確率テーブル１６８、第３確率テーブル１６９等が記憶されている。乱数テーブル１６５は、当選役抽選時に用いられる。この乱数テーブル１６５は、複数の当選役、及びハズレのそれぞれに、第１乱数の振り分けが行われている。図柄テーブル１６６は、第１リール１０、第２リール１１、第３リール１２の外周面にそれぞれ配置される図柄と、基準位置からのステップ数とが対応付けられたテーブルである。
【００７２】
第１確率テーブル１６７は、ＢＢ移行役やＲＢ移行役が当選した、或いは、これら移行役が持ち越されている場合の移動抽選で用いられる。この第１確率テーブル１６７は、「第２突出位置」、「第１突出位置」、「移動量０（移動させない）」のそれぞれに、第２乱数の振り分けが行われている。第１確率テーブルにおける第２乱数の振り分けは、例えば、「第２突出位置」に対する第２乱数の振り分けが最も多く、「第１突出位置」、「移動量０（移動させない）」の順で少なくなるように設定される。
【００７３】
第２確率テーブル１６８は、小役が当選した場合の移動抽選で用いられる。第２確率テーブル１６８は、第１確率テーブル１６７と同様にして、「第１突出位置」、「第２突出位置」、「移動量０（移動させない）」のそれぞれに、第２乱数の振り分けが行われている。第２確率テーブル１６８における第２乱数の振り分けは、例えば、「第１突出位置」に対する第２乱数の振り分けが最も多く、「移動量０（移動させない）」、「第２突出位置」の順で少なくなるように設定される。
【００７４】
第３確率テーブル１６９は、当選役抽選でハズレとなり、上述した移行役が持ち越されていない場合の移動抽選で用いられる。第３確率テーブル１６９は、第１確率テーブル１６７、第２確率テーブル１６８と同様にして、「第１突出位置」、「第２突出位置」、「移動量０（移動させない）」のそれぞれに、第２乱数の振り分けが行われている。第３確率テーブルにおける第２乱数の振り分けは、例えば、「移動量０（移動させない）」に対する第２乱数の振り分けが最も多く、「第１突出位置」、「第２突出位置」の順で少なくなるように設定される。
【００７５】
また、これら確率テーブルに対する第２乱数の振り分けを見ると、「第１突出位置」に対する第２乱数の振り分けは、第２確率テーブル１６８が最も多く、第１確率テーブル１６７、第３確率テーブル１６９の順で低くなるように設定される。また、「第２突出位置」に対する第２乱数の振り分けは、第１確率テーブル１６７が最も多く、第２確率テーブル１６８、第３確率テーブル１６９の順で少なくなるように設定される。さらに、「移動量０（移動させない）」に対する第２乱数の振り分けは、第３確率テーブル１６９が最も多く、第２確率テーブル１６８、第１確率テーブル１６７の順で少なくなるように設定される。なお、これら確率テーブルにおける第２乱数の振り分けは、適宜設定されるものであって、本実施形態に限定されるものではない。
【００７６】
ホッパー装置１７０は、全てのリールが停止した場合に、有効となる入賞ライン上に入賞となる図柄の組み合わせが停止した場合に、その入賞に対する配当枚数のメダルを払い出す。
【００７７】
次に、本実施形態の遊技の流れについて、図８及び図９に示すフローチャートに基づいて説明する。遊技者がメダルの投入を行ってスタートレバー３５を押下すると、スタートスイッチセンサ１３６からスタート信号がＣＰＵ１３１に出力される。これを受けて、当選役抽選、及び移動抽選が行われる。例えば、当選役抽選で、ＲＢ移行役やＢＢ移行役が当選した場合、及びハズレとなるが、これら移行役が持ち越されている場合には、移動抽選において、第１確率テーブル１６７を用いた抽選を行う。また、当選役抽選で小役となる場合には、第２確率テーブル１６８を用いた抽選を行う。さらにハズレとなり、上述した移行役が持ち越されていない場合には、第３確率テーブル１６９が用いられる。これら抽選の結果はＲＡＭ１３３に一次記憶される。これら抽選が行われた後に、制御部１５５は、ドライバ１４８，１４９，１５０を介してステッピングモータ１４５，１４６，１４７を駆動させる。これにより、第１リール１０、第２リール１１、第３リール１２の全てのリールが回転を開始する。
【００７８】
第１リール１０、第２リール１１、第３リール１２を回転させるとともに、制御部１５５は、ＲＡＭ１３３に記憶された当選役抽選の結果を参照する。この当選役抽選の結果に基づいた確率テーブルがＲＯＭ１３２から読み出され、移動抽選が行われる。この移動量抽選で当選した場合はステッピングモータ１００を駆動して移動量調整部材５６を突出位置へと移動させる。その後にＬＥＤ１６１が点灯され、状態表示部１６が発光表示される。この発光表示により、第１〜第３ストップボタン３６ａ〜３６ｃの押圧操作が有効となったことが遊技者に報知される。これに基づいて、遊技者は、第１〜第３ストップボタン３６ａ〜３６ｃのいずれかを押圧操作し、第１リール１０、第２リール１１、第３リール１２のリールの回転を停止させる。そして、全てのリールが停止されたときに、有効となる入賞ライン上に入賞となる図柄の組み合わせが揃った場合に入賞となり、入賞に対するメダルの払い出し動作が行われる。なお、移動抽選によって移動量調整部材５６を移動させた場合には、ステッピングモータ１００を駆動して、移動量調整部材５６を退避位置へと移動させる。
【００７９】
例えば、この移動抽選の結果が「移動量０（移動させない）」である場合には、制御部１５５は、ドライバ１６０を介してステッピングモータ１００を駆動しないので、移動量調整部材５６は退避位置で保持されることになる（図４参照）。このため、移動量調整部材５６のピン５６ｃ〜５６ｆの先端は、それぞれ挿通孔８５〜８８の内部に収納された状態が保持されることになる。この状態でストップボタン３６を押圧操作する、つまり、被押圧部材５０の被押圧面５０ａを押圧すると、被押圧部材５０が初期位置から押圧位置へと移動する（図１０参照）。被押圧部材５０が押圧位置まで移動すると、その壁面５０ｃが前面側収納部７４を構成する壁面７４ａに当接される。また、押圧ピン５４は、その鍔部５４ｃが支持板５５に当接された状態で保持されているので、被押圧部材５０が押圧位置まで移動しても、ピン本体５４ａの先端が被押圧部材５０の筒部６５に設けられた挿通孔６６の内部に保持された状態が保持されている。これにより、ストップボタン３６を押圧操作しても、その押圧操作時には変化が生じることはない。
【００８０】
移動抽選の結果が、「第１突出位置」である場合、制御部１５５は、ドライバ１６０を介してステッピングモータ１００を駆動させる。このステッピングモータ１００の駆動により、回転軸１０３が図４中Ｊ方向に９０°回転する。回転軸１０３が図４中Ｊ方向に９０°回転すると回転軸１０３に組み付けられたカム１０１も回転する。このカム１０１が９０°回転する過程で、移動量調整部材５６の基板５６ａにカム１０１の押圧面１０１ａが当接し、カム１０１が基板５６ａを押圧する。この押圧によって、移動量調整部材５６がコイルバネ５８の付勢に抗して、図４中Ｇ方向に移動する。この移動量調整部材５６の移動により、センターピン５６ｂが、突出ピン５４の筒部５４ｃに組み付けられた押圧ピン９６に当接した後、この押圧ピン９６を押圧する。この押圧を受けて、突出ピン５４が図４中Ｃ方向に移動し、突出ピン５４の鍔部５４ｂが挿入空間８０の壁面８０ａに当接される。
【００８１】
突出ピン５４の鍔部５４ｂが挿入空間８０の壁面８０ａに当接した後もカム１０１の押圧によって移動量調整部材５６は図４中Ｇ方向に移動する。この移動時に、センターピン５６ｂが押圧ピン９６をコイルバネ９５の付勢に抗して押圧するので、押圧ピン９６が筒部５４ｃの内部９３に押し込まれる。図１１に示すように、回転軸１０３が９０°回転すると、カム１０１による移動量調整部材５６の押圧が停止され、移動量調整部材５６が第１突出位置に保持される。なお、移動量調整部材５６が第１突出位置まで移動すると、ピン５６ｃ〜５６ｆの先端が、前面側収納部７４の壁面７４ａから突出した状態で保持される。
【００８２】
図１２に示すように、この状態でストップボタン３６が押圧操作される、つまり、被押圧部材５０の被押圧面５０ａを押圧すると、被押圧部材５０が図１１中Ａ方向に、つまり初期位置から押圧位置へと移動する。この場合、被押圧部材５０が押圧位置まで移動すると、被押圧面５０ａとは反対側の壁面５０ｃが前面側収納部７４を構成する壁面７４ａに当接される前に、壁面７４ａから突出したピン５６ｃ〜５６ｆに当接されるので、移動抽選の結果が「移動量０（移動させない）」となる場合に比べて被押圧部材５０の移動量が短くなる。また、押圧ピン５４は、その鍔部５４ｂが挿入空間８０の壁面８０ａに当接された状態で保持されるが、被押圧部材５０が押圧位置まで移動しても、ピン本体５４ａの先端が被押圧部材５０の筒部６５に設けられた挿通孔６６の内部に保持された状態が保持される。これにより、ストップボタン３６が押圧操作されると、被押圧部材５０の移動量が短くなる。
【００８３】
また、移動抽選の結果が、「第２突出位置」である場合、制御部１５５は、ドライバ１６０を介してステッピングモータ１００を駆動させ、回転軸１０３を図４中Ｊ方向に１８０°回転させる。回転軸１０３が図４中Ｊ方向に１８０°回転する過程で、回転軸１０３に組み付けられたカム１０１，１０２も回転する。これらカム１０１，１０２の回転時に、移動量調整部材５６の基板５６ａにカム１０１の押圧面１０１ａが当接した後、カム１０１が基板５６ａを押圧する。この押圧によって、移動量調整部材５６がコイルバネ５８の付勢に抗して、図４中Ｇ方向に移動する。この移動量調整部材５６の移動により、センターピン５６ａが、突出ピン５４の筒部５４ｃに組み付けられた押圧ピン９６に当接した後、この押圧ピン９６を押圧する。この押圧を受けて、突出ピン５４が図４中Ｃ方向に移動し、突出ピン５４の鍔部５４ｂが挿入空間８０の壁面８０ａに当接される。突出ピン５４の鍔部５４ｂが挿入空間８０の壁面８０ａに当接した後も、移動量調整部材５６は図４中Ｇ方向に移動する。この移動の際に、センターピン５６ａが押圧ピン９６をコイルバネ９５の付勢に抗して押圧するので、押圧ピン９６が筒部５４ｃの内部に、つまり図６中Ｆ方向に押し込まれる。すなわち、まず、回転軸１０３が図４中Ｊ方向に９０°回転すると、カム１０１による移動量調整部材５６の移動が停止される。
【００８４】
さらに、回転軸１０３が図４中Ｊ方向に９０°回転する、つまり合計１８０°回転するから、カム１０１と移動量調整部材５６の基板５６ａとの相対位置がずれ当接が解除されることで、移動量調整部材５６がコイルバネ５８の図４中Ｉ方向の付勢によって退避位置に向けて一旦移動する。その後、カム１０２の押圧面１０２ａが移動量調整部材５６の基板５６ａに当接されるので、カム１０２の押圧面１０２ａによる基板５６ａの押圧が行われる。これにより、移動量調整部材５６が、再度図４中Ｇ方向に移動する。従って、回転軸１０３が図４中Ｊ方向に１８０°回転すると、ステッピングモータ１００の駆動が停止されるので、カム１０２によって移動量調整部材５６の押圧が停止される（図１３参照）。このとき、移動量調整部材５６によって押圧される突出ピン５４は、その鍔部５４ｂが挿入空間８０の壁面８０ａに当接された状態で保持される。なお、回転軸１０３を図４中Ｊ方向に１８０°回転させた場合（第２突出位置まで移動させた場合）には、移動量調整部材５６のセンターピン５６ｂによる押圧は、突出ピン５４の鍔部５４ｂが、挿入空間８０の壁面８０ａに当接されたときに停止されるので、押圧ピン９６は、突出ピン５４の筒部５４ｃに押し込まれない位置で保持される。
【００８５】
これにより、ストップボタン３６が押圧操作される、つまり、被押圧部材５０の被押圧面５０ａが押圧されると、被押圧部材５０が図１３中Ａ方向に、つまり初期位置から押圧位置へと移動する。図１４に示すように、被押圧部材５０が押圧位置まで移動すると、その壁面５０ｃが前面側収納部７４を構成する壁面７４ａから突出したピン５６ｃ〜５６ｆに当接される。この場合、移動量調整部材５６のピンの突出量は、移動量調整部材５６を第１突出位置に保持している場合よりも小さい。これにより、移動量調整部材５６が第１突出位置に保持されているときに比べて被押圧部材５０の移動量は長くなり、また、移動量調整部材５６が退避位置に保持されているときに比べて短くなる。図１４に示すように、移動量調整部材５６が第２突出位置に保持されると、移動量調整部材５６が第１突出位置に保持されているときに比べて被押圧部材５０の移動量は長くなるため、被押圧面が押圧されると、挿入空間８０の壁面８０ａに当接された突出ピン５４のピン本体５４ａの先端が被押圧部材５０の被押圧面５０ａから突出される。
【００８６】
例えば移動抽選において第１確率テーブル１６７が用いられた場合には、その結果が「第２突出位置」となる確率が高い。この場合、遊技者は、ストップボタン３６の押圧操作時に、操作した指に違和感があった場合には、「ＢＢ移行役やＲＢ移行役が当選した、或いはこれら移行役が持ち越されている」という期待感を強く抱くことになる。
【００８７】
また、移動抽選において第２確率テーブル１６８が用いられた場合には、その結果が「第１突出位置」となる確率が高い。この場合、遊技者は、ストップボタン３６の押圧操作時に、操作した指に違和感があったと感じるが、移動量調整部材５６が第２突出位置に保持されたときに比べて、ストップボタン３６を押圧操作した指における違和感が弱いため、「ＢＢ移行役やＲＢ移行役が当選した、或いはこれら移行役が持ち越されているのでは？」という期待感を抱くことになる。なお、移動抽選において第３確率テーブル１６９が用いられた場合には、その結果として「移動量０」となる確率が高い。この場合、遊技者はストップボタン３６の押圧操作時に、操作した指に違和感がないので、上述した移行役は当選していないと感じることになる。
【００８８】
しかしながら、どの確率テーブルを用いた場合であっても、「第１突出位置」、「第２突出位置」、「移動量０」のいずれかが選ばれる可能性があるため、当選役抽選の結果がそのまま移動量調整部材５６の移動量の変化や、ピン本体５４ａの先端が被押圧面５０ａから突出するか否かには関与しない。つまり、当選役抽選で小役となる場合であっても、ストップボタン３６の押圧操作時の被押圧部材５０の移動量が短く、またピン本体５４ａが被押圧面５０ａから突出する場合や、押圧操作時に何の変化も無い場合がある。同様にして、ＢＢ移行役が当選している（持ち越されている場合も含む）場合であっても、被押圧部材５０の移動量だけが短くなる場合や、何の変化も無い場合がある。さらに、当選役抽選でハズレとなる場合であっても、被押圧部材５０の移動量だけが短くなる場合や、被押圧部材５０の移動量が短く、またピン本体５４ａが被押圧面５０ａから突出する場合もある。これにより、被押圧部材５０の移動量、或いは突出ピン５４のピン本体５４ａの先端が突出するか否かによって、当選役抽選における信頼度を遊技者に体感させることができる。
【００８９】
本実施形態では、当選役抽選の結果に関わらず、移動抽選を行うようにしているが、例えば、当選役抽選の結果が、ＲＢ移行役、ＢＢ移行役となる場合、及び当選役抽選でハズレとなるが、これら移行役が持ち越されている場合と、当選役抽選の結果が小役となる場合に移動抽選を行うようにすることも可能である。例えば、当選役抽選の結果が、ＲＢ移行役、ＢＢ移行役となる場合、及び当選役抽選でハズレとなるが、これら移行役が持ち越されている場合に第１確率テーブルを使用する。また、当選役抽選の結果が小役となる場合に第２確率テーブルを使用する。
【００９０】
この場合、第１確率テーブルは、「第２突出位置」と、「移動量０」とのいずれかに第２乱数の振り分けが行われた確率テーブルとし、第２確率テーブルを「第１突出位置」と、「移動量０」とのいずれかに第２乱数の振り分けが行われた確率テーブルとする。これによれば、例えば、第１確率テーブルを使用して移動量抽選を行ったときに、「第２突出位置」となる場合には、ストップボタンの押圧操作時には、被押圧部材の移動量が少なく、また突出ピンのピン本体の先端が被押圧面から突出するので、遊技者は押圧操作時の違和感を強く感じることになり、ＲＢ移行役やＢＢ移行役が当選しているという確信を抱くことができる。また、第２確率テーブルを使用して移動量抽選を行ったときには、「第１突出位置」となる場合には、ストップボタンの押圧操作時には、被押圧部材の移動量が少ないので、遊技者は、押圧操作時の違和感を生じさせることになるが、移動量要請部材が第２突出位置に保持されているときにストップボタンを押圧操作するときほどの違和感を感じることはないので、小役が当選していると遊技者に抱かせることができる。
【００９１】
本実施形態では、全てのストップボタンに組み込まれた移動量調整部材を移動させるか否かを一括して決定したがこれに限定する必要はなく、例えばストップボタン毎に決定しても良い。
【００９２】
本実施形態では、当選役抽選の結果に基づいて移動量調整部材の移動量を決定したが、これに限定する必要はなく、例えば通常モードから、例えばリプレイ役の当選確率が高くなるリプレイタイム（ＲＴ）モード等の他の遊技モードに移行した直後の遊技の際に、移動量調整部材の移動量を決定することも可能である。また、この他に、当選役決定手段による抽選結果、つまり、当選役の種類に応じて移動量調整部材の移動量を決定することも可能である。
【００９３】
本実施形態では、全てのリールが停止されたときに、ステッピングモータを駆動させて移動量調整部材が退避位置へと移動させたが、これに限定する必要はなく、例えばストップボタンの押圧操作が解除された場合に、或いはインデックスがＰＩによって検知された直後に、ステッピングモータを駆動させて移動量調整部材が退避位置へと移動させることも可能である。
【００９４】
本実施形態では、被押圧部材５０が最大移動位置まで移動したときには、前記保持筒５１に設けられた前面側収納部７４を構成する壁面７４ａに被押圧部材５０の壁面５０ｃが当接する形態としているが、これに限定する必要はなく、被押圧部材５０が最大移動位置まで移動したときに、移動量調整部材５６のピン５６ｃ〜５６ｆに当接させる形態としてもよい。
【００９５】
本実施形態では、操作ボタンの例としてストップボタンの例を取り上げたが、これに限定する必要はなく、例えばクレジットされたメダルを投入操作する際に操作されるベットボタンに本発明に用いることも可能である。また、本実施形態では、本発明の操作ボタン装置を、ストップボタン全てに用いた実施形態としているが、これに限定される必要はなく、例えば第１ストップボタンのみに本発明の操作ボタン装置を用いるなど、一部のストップボタンに設けることも可能である。
【００９６】
本実施形態では、突出ピンと移動量調整部材とを１つのステッピングモータの駆動によって移動させたが、これに限定する必要はなく、突出ピンと、移動量調整部材とをことなる駆動装置によって駆動させることも可能である。
【００９７】
本実施形態では、ステッピングモータの駆動を、そのパルス数によって管理しているが、これに限定する必要はなく、例えば、移動量調整部材が「第１突出位置」、「第２突出位置」に移動したことを検知することも可能である。この場合、回転軸、又は移動量調整部材にインデックスを設け、このインデックスを、「第１突出位置」、「第２突出位置」で検知するＰＩを各位置に配置する、或いは、２つのインデックスを回転軸、又は移動量調整部材に設け、これらインデックスをＰＩによって検知することで、移動量調整部材の位置を検知することも可能である。また、移動量を視覚的に理解させるために保持筒の外周に物差しのような指標を設けるようにしてもよい。
【図面の簡単な説明】
【００９８】
【図１】本発明のスロットマシンの外観を示す斜視図である。
【図２】ストップボタンの構成を一部分解して示す斜視図である。
【図３】ストップボタンの構成を分解して示す斜視図である。
【図４】移動量調整部材が退避位置にある場合であって、ストップボタンの被押圧面が非押圧状態となる場合を示す断面図である。
【図５】図４に示す領域Ｘを拡大して示す断面図である。
【図６】保持筒の後面側収納部近傍の構成を分解して示す断面図である。
【図７】スロットマシンの電気的構成を示す機能ブロック図である。
【図８】遊技の処理の流れを示すフローチャートである。
【図９】移動抽選における処理の流れを示すフローチャートである。
【図１０】移動量調整部材が退避位置にある場合であって、ストップボタンの被押圧面が押圧状態となる場合を示す断面図である。
【図１１】移動量調整部材が第１突出位置にある場合であって、ストップボタンの被押圧面が非押圧状態となる場合を示す断面図である。
【図１２】移動量調整部材が第１突出位置にある場合であって、ストップボタンの被押圧面が押圧状態となる場合を示す断面図である。
【図１３】移動量調整部材が第２突出位置にある場合であって、ストップボタンの被押圧面が非押圧状態となる場合を示す断面図である。
【図１４】移動量調整部材が第２突出位置にある場合であって、ストップボタンの被押圧面が押圧状態となる場合を示す断面図である。
【符号の説明】
【００９９】
２  スロットマシン
３６  ストップボタン（操作ボタン装置）
５０  被押圧部材
５０ａ  被押圧面
５４  突出ピン（突起物）
５６  移動量調整部材（位置変更部材）
５９  位置調整機構
１００  ステッピングモータ
１０１，１０２  カム
１５５  制御部（作動制御手段）
１５８  当選役決定部（当選役決定手段）
１５９  移動決定部（移動量決定手段）
【図１】
2007236483.tif 000003
【図２】
2007236483.tif 000004
【図３】
2007236483.tif 000005
【図４】
2007236483.tif 000006
【図５】
2007236483.tif 000007
【図６】
2007236483.tif 000008
【図７】
2007236483.tif 000009
【図８】
2007236483.tif 000010
【図９】
2007236483.tif 000011
【図１０】
2007236483.tif 000012
【図１１】
2007236483.tif 000013
【図１２】
2007236483.tif 000014
【図１３】
2007236483.tif 000015
【図１４】
2007236483.tif 000016